(57)【特許請求の範囲】
【請求項１】
座部と、
前記座部の前端部に枢動可能に接続された折り畳み式フレームと、
前記座部と前記折り畳み式フレームとの間に取り付けられた駆動機構とを備え、
前記駆動機構は、
前記折り畳み式フレームに枢動可能に接続された前端部と、後端部とを有する第１アクチュエータと、
前記第１アクチュエータの後端部に固定された前端部と、前記座部に枢動可能に接続された後端部とを有する第２アクチュエータとを備え、
前記第１アクチュエータと前記第２アクチュエータが作動すると、前記座部が位置する水平面まで前記折り畳み式フレームが枢動可能となるように前記座部に対して前記折り畳み式フレームを枢動する、折り畳み可能な脚載台。
【請求項２】
前記第１アクチュエータは、
前記座部に対向する前記折り畳み式フレームの内面に枢動可能に接続された枢動部材と、
前記枢動部材に固定されたモータと、
前記モータにより駆動されるねじ付ロッドと、
前記ねじ付ロッドを受けるためのねじ穴を有するホルダーと、を備え、前記ねじ付ロッドが前記ホルダーに対して延出可能かつ後退可能である、請求項１に記載の折り畳み可能な脚載台。
【請求項３】
前記第２アクチュエータは、
前記座部に枢動可能に接続された円筒状本体と、
前記円筒状本体に対して延出可能かつ後退可能な伸縮ロッドと、を備えた電動式フェーダである、請求項２に記載の折り畳み可能な脚載台。
【請求項４】
前記駆動機構は、
前記第１アクチュエータのホルダーに固定された前端部と、
前記円筒状本体から延出する前記第２アクチュエータの伸縮ロッドの前端部に固定された後端部と、を有する関節部を備える、請求項３に記載の折り畳み可能な脚載台。
【請求項５】
前記駆動機構は、前記座部と前記関節部との間に接続された弾性部材を備える、請求項４に記載の折り畳み可能な脚載台。
【請求項６】
上側アイが、前記座部の底面の前部に取り付けられ、
下側アイが、前記関節部の上端に取り付けられ、
前記弾性部材は、
前記座部に取り付けられた前記上側アイに係合する上フックと、
前記関節部に取り付けられた前記下側アイと係合する下フックとを有する、請求項５に記載の折り畳み可能な脚載台。
【請求項７】
枢動片が前記座部の後部から下方へ延出し、前記第２アクチュエータの円筒状本体が前記枢動片の下端部に枢動可能に接続されている、請求項３，４，５または６に記載の折り畳み可能な脚載台。
【発明の詳細な説明】
【技術分野】
【０００１】
本発明は概して椅子に関し、詳しくは、着座者が自身の脚を水平に伸ばすことができる、折り畳み可能な椅子用脚載台に関する。
【背景技術】
【０００２】
椅子は、人を着座させ、その着座者の体重を支える。各椅子は、その構造や機能が様々に異なっている。図９を参照して、電動の自動車用座席やマッサージ用椅子には、実質的に、座部９０と、背もたれ９１と、折り畳み式フレーム９２と、駆動機構とが設けられている。座部９０は、前端部と後端部を有している。背もたれ９１は、座部９０の後端部に枢動可能に接続されている。折り畳み式フレーム９２は、座部９０の前端部に枢動可能に接続されている。駆動機構は、座部９０と折り畳み式フレーム９２との間に取り付けられている。図１０を参照して、駆動機構が作動すると、折り畳み式フレーム９２が座部９０に対して枢動し、折り畳み可能な脚載台を構成する。これにより、着座者は、折り畳み式フレーム９２上に、自身の脚を伸ばした状態で載せることができる。
【０００３】
駆動機構は、枢動アーム９３とアクチュエータ９４を備えている。枢動アーム９３は、前端部と後端部を有している。枢動アーム９３の前端部は、折り畳み式フレーム９２に固定されている。アクチュエータ９４は、円筒状本体９４１と伸縮ロッド９４２を有する電動式フェーダである。円筒状本体９４１は、座部９０に枢動可能に接続されている。伸縮ロッド９４２は、円筒状本体９４１に摺動自在に収容され、円筒状本体９４１に対する延出と後退が可能である。伸縮ロッド９４２は、その前端部が円筒状本体９４１から延出しており、枢動アーム９３の後端部に枢動可能に接続されている。アクチュエータ９４が作動して伸縮ロッド９４２を延出させると、折り畳み式フレーム９２が前方に枢動して、折り畳んだ状態から広げられる。同様に、アクチュエータ９４が作動して伸縮ロッド９４２を後退させると、折り畳み式フレーム９２が後方に枢動して折り畳まれる。
【０００４】
しかし、アクチュエータ９４は座部９０と折り畳み式フレーム９２との間のスペースに配置されるため、伸縮ロッド９４２の長さ寸法には限界がある。このため、アクチュエータ９４は、座部９０が位置する水平面まで折り畳み式フレーム９２を枢動させるのに十分なストロークをもたらすことができない。この結果、着座者は、自身の脚を折り畳み式フレーム９２上に水平に伸ばすことができず、座り心地を損なう。
【発明の概要】
【発明が解決しようとする課題】
【０００５】
この問題点を克服するために、本発明は、着座者が自身の脚を水平に伸ばすことができる、折り畳み可能な脚載台を提供する。
【課題を解決するための手段】
【０００６】
本発明による折り畳み可能な脚載台は、座部と、折り畳み式フレームと、駆動機構を備える。折り畳み式フレームは、座部の前端部に枢動可能に接続される。駆動機構は、座部と折り畳み式フレームの間に取り付けられ、第１アクチュエータと第２アクチュエータを備える。第１アクチュエータは前端部と後端部を有する。第１アクチュエータの前端部は、折り畳み式フレームに枢動可能に接続される。第２アクチュエータは前端部と後端部を有する。第２アクチュエータの後端部は、座部に枢動可能に接続される。第２アクチュエータの前端部は、第１アクチュエータの後端部に固定されている。第１アクチュエータと第２アクチュエータが作動すると、折り畳み式フレームが座部に対して枢動する。第１アクチュエータと第２アクチュエータは、座部が位置する水平面まで折り畳み式フレームが枢動可能となるように、２つのストロークを提供する。この結果、着座者は、自身の脚を折り畳み式フレーム上に水平に伸ばすことができ、より快適な座り心地が得られる。
【図面の簡単な説明】
【０００７】
【図１】本発明に係る折り畳み可能な脚載台の斜視図
【図２】図１の折り畳み可能な脚載台の別の斜視図
【図３】図１の折り畳み可能な脚載台の側面図
【図４】図１の折り畳み可能な脚載台を取り付けた椅子の斜視図
【図５】折り畳み可能な脚載台が非作動状態にあることを示す図４の椅子の側面図
【図６】折り畳み可能な脚載台が作動状態にあることを示す図４の椅子の側面図
【図７】折り畳み可能な脚載台が作動状態にあることを示す図４の椅子の側面図
【図８】折り畳み可能な脚載台が作動状態にあることを示す図４の椅子の側面図
【図９】折り畳み可能な脚載台が非作動状態にあることを示す先行技術に係る従来の椅子の側面図
【図１０】折り畳み可能な脚載台が作動状態にあることを示す図９の従来の椅子の側面図
【発明を実施するための形態】
【０００８】
図１〜３を参照して、本発明に係る折り畳み可能な脚載台は、座部１０と、折り畳み式フレーム２０と、駆動機構を備えている。
【０００９】
折り畳み式フレーム２０は、座部１０の前端部に枢動可能に接続されている。座部１０と折り畳み式フレーム２０は従来のものであるため、その詳細な説明は省略する。
【００１０】
駆動機構は、座部１０と折り畳み式フレーム２０の間に取り付けられ、第１アクチュエータ３０と第２アクチュエータ４０を備えている。
【００１１】
第１アクチュエータ３０は前端部と後端部を有している。第１アクチュエータ３０の前端部は、折り畳み式フレーム２０に枢動可能に接続されている。第２アクチュエータ４０は前端部と後端部を有している。第２アクチュエータ４０の後端部は、座部１０に枢動可能に接続されている。第２アクチュエータ４０の前端部は、第１アクチュエータ３０の後端部に固定されている。第１アクチュエータ３０と第２アクチュエータ４０が作動すると、折り畳み式フレーム２０が座部１０に対して枢動する。
【００１２】
好ましい一実施形態を以下に説明する。
【００１３】
座部１０の後方中央部から、枢動片１１が下方へ延出している。座部１０の底面の前方中央部に、上側アイ１２が取り付けられている。
【００１４】
第１アクチュエータ３０は、枢動部材３１と、モータ３２と、ねじ付ロッド３３と、ホルダー３４を備えている。枢動部材３１は、座部１０に対向する折り畳み式フレーム２０の内面に枢動可能に接続されている。モータ３２は、枢動部材３１に固定取り付けされている。ねじ付ロッド３３はモータ３２により駆動される。ホルダー３４は、ねじ付ロッド３３を受けるためのねじ穴３４１を有している。ねじ付ロッド３３は、ホルダー３４に対して延出可能かつ後退可能である。
【００１５】
第２アクチュエータ４０は、円筒状本体４１と伸縮ロッド（テレスコピックロッド）４２を有する電動式フェーダである。円筒状本体４１は、座部１０における枢動片１１の下端部に枢動可能に接続されている。伸縮ロッド４２は、円筒状本体４１に摺動自在に収容され、円筒状本体４１に対して延出可能かつ後退可能とされる。さらに、伸縮ロッド４２は、円筒状本体４１から延出する前端部を有している。電動式フェーダは従来のものであるため、その詳細な説明は省略する。
【００１６】
駆動機構はさらに、関節部５０と、弾性部材６０を備えている。
【００１７】
関節部５０は前端部と後端部を有している。関節部５０の前端部は、第１アクチュエータ３０のホルダー３４に固定されている。関節部５０の後端部は、第２アクチュエータ４０の伸縮ロッド４２の前端部に固定されている。関節部５０の上端には、下側アイ５１が取り付けられている。
【００１８】
弾性部材６０は、座部１０と関節部５０との間に接続されている。弾性部材６０は、上フック６１と下フック６２とを有する引張コイルばねである。上フック６１は、座部１０に取り付けられた上側アイ１２に係合する。下フック６２は、関節部５０に取り付けられた下側アイ５１に係合する。
【００１９】
図４を参照して、本発明に係る折り畳み可能な脚載台は、座部基台７０と背もたれ８０とを備えた椅子に適用される。座部１０は、座部基台７０に移動可能に取り付けられている。背もたれ８０は、座部１０の後端部に枢動可能に接続されている。図５を参照して、折り畳んだ状態の脚載台を示す。脚載台を広げるには、図６を参照して、第１アクチュエータ３０のモータ３２を作動し、ねじ付ロッド３３を延出させることで、折り畳み式フレーム２０を座部１０に対して前方に枢動させる。図７を参照して、第２アクチュエータ４０を作動し、伸縮ロッド４２を延出させることで、折り畳み式フレーム２０を座部１０に対して前方にさらに枢動させる。図８を参照して、座部１０は、座部基台７０に対して前方移動するように調整可能である。背もたれ８０は、座部１０に対して角度調整可能であり、着座者の様々なニーズに応える。
【００２０】
本発明に係る脚載台は、２つのストロークを提供する第１及び第２アクチュエータ３０，４０を備えることにより、座部１０が位置する水平面まで折り畳み式フレーム２０を枢動できる。したがって、着座者は、自身の脚を折り畳み式フレーム２０上で水平に伸ばすことができ、このため、より快適な座り心地が得られる。さらに、関節部５０と弾性部材６０によって、折り畳み式フレーム２０が円滑に枢動し、折り畳んだ状態と広げた状態の両方において折り畳み式フレーム２０の安定性を維持することができる。
【００２１】
脚載台を折り畳むには、図５を参照して、第１アクチュエータ３０を作動して、ねじ付ロッド３３を後退させる。また、第２アクチュエータ４０を作動して、伸縮ロッド４２を後退させる。これにより、折り畳み式フレーム２０を、鉛直方向かつ座部１０に対して垂直になるように枢動させる。したがって、脚載台の面積が小さくなり、収納や輸送に好都合となる。
【００２２】
上述のような本発明は、言うまでもなく様々に変更可能であるが、そのような変更は、本発明の精神や技術範囲を逸脱するものではなく、当業者に自明の変更内容はすべて、以下に記載する請求項の範囲に含まれることが意図される。
【要約】
【課題】着座者が自身の脚を水平に伸ばすことができる折り畳み可能な脚載台を提供する
【解決手段】折り畳み可能な脚載台には、座部１０と、折り畳み式フレーム２０と、駆動機構とが設けられている。折り畳み式フレーム２０は、座部１０に枢動可能に接続されている。駆動機構は、第１アクチュエータ３０と第２アクチュエータ４０を備える。第１アクチュエータ３０は前端部と後端部を有している。第１アクチュエータ３０の前端部は、折り畳み式フレーム２０に枢動可能に接続されている。第２アクチュエータ４０は前端部と後端部を有している。第２アクチュエータ４０の後端部は、座部１０に枢動可能に接続されている。第２アクチュエータ４０の前端部は、第１アクチュエータ３０の後端部に固定されている。第１アクチュエータ３０と第２アクチュエータ４０が作動すると、折り畳み式フレーム２０は、座部１０が位置する水平面まで枢動する。
【選択図】図３【図１】
0005864693.tif 000002
【図２】
0005864693.tif 000003
【図３】
0005864693.tif 000004
【図４】
0005864693.tif 000005
【図５】
0005864693.tif 000006
【図６】
0005864693.tif 000007
【図７】
0005864693.tif 000008
【図８】
0005864693.tif 000009
【図９】
0005864693.tif 000010
【図１０】
0005864693.tif 000011